(57)【要約】【課題】  電気錠と電気錠制御盤との間の通線経路からの不正行為による施解錠を低減して防犯性を向上させる。【解決手段】  電気錠システム用アダプタ１は、制御盤側アダプタ２と電気錠側アダプタ３を具備する。制御盤側アダプタ２は、電気錠制御盤４から施錠指令が入力されて錠状態信号が解錠状態のときにランダムな施錠ＩＤを生成して保持記憶し、この保持記憶された施錠ＩＤとともに施錠出力を出力し、電気錠制御盤４から解錠指令が入力されて錠状態信号が施錠状態のときには施錠時に生成された施錠ＩＤとともに解錠出力を出力する。電気錠側アダプタ３は、施錠時に制御盤側アダプタ２からの施錠ＩＤを保持記憶するとともに電気錠５に施錠出力を出力して電気錠５を施錠制御し、解錠時には制御盤側アダプタ２からの施錠ＩＤと前回の施錠時に保持記憶された施錠ＩＤとを照合して両者が一致したときに電気錠５に解錠出力して電気錠５を解錠制御する。【選択図】  図２
2006118312.tif 000002
【特許請求の範囲】
【請求項１】
扉に設けられた錠前の施解錠機構を施解錠するとともに、現在の錠の状態を示す錠状態信号を出力する電気錠と、該電気錠に通線経路を介して接続され、前記電気錠を施錠するための施錠指令又は前記電気錠を解錠するための解錠指令を出力して前記電気錠を制御する電気錠制御盤とを備えた電気錠システムに用いられる電気錠システム用アダプタであって、
前記電気錠制御盤から施錠指令が入力されて前記錠状態信号が解錠状態のときにランダムな施錠ＩＤを生成して保持記憶し、この保持記憶された施錠ＩＤとともに施錠出力を出力しており、前記電気錠制御盤から解錠指令が入力されて前記錠状態信号が施錠状態のときには前記施錠時に生成された前記施錠ＩＤとともに解錠出力を出力する制御盤側アダプタと、
施錠時に前記制御盤側アダプタからの施錠ＩＤを保持記憶するとともに前記電気錠に施錠出力を出力して該電気錠を施錠制御しており、解錠時には前記制御盤側アダプタからの施錠ＩＤと前回の施錠時に保持記憶された施錠ＩＤとを照合して両者が一致したときに前記電気錠に解錠出力して該電気錠を解錠制御する電気錠側アダプタとを備えたことを特徴とする電気錠システム用アダプタ。
【請求項２】
前記制御盤側アダプタは、前記電気錠の施解錠時に、前記施錠ＩＤと施錠又は解錠出力を重畳して前記電気錠側アダプタへ出力することを特徴とする請求項１記載の電気錠システム用アダプタ。
【請求項３】
前記制御盤側アダプタが前記電気錠制御盤に組み込まれ、かつ前記電気錠側アダプタが前記電気錠に組み込まれたことを特徴とする請求項１又は２記載の電気錠システム用アダプタ。
【発明の詳細な説明】
【技術分野】
【０００１】
本発明は、扉に設けられる電気錠を電気的に施解錠制御する電気錠システムにおいて、電気錠と、この電気錠を制御する電気錠制御盤との間の配線部分から不正行為による錠の施解錠を防止する電気錠システム用アダプタに関するものである。
【０００２】
近年、例えばオフィスビルやマンションなどの一般住宅の扉には、不審者の侵入を回避するため、防犯性に富んだ電気錠システムを採用している。この種の電気錠システムは、特定の施解錠信号により、例えばモータやソレノイドなどの駆動手段を電気的に駆動して錠内部の施解錠機構やデッドボルトを電気的に進退させ、錠の施解錠を行っている。そして、この種の電気錠システムとしては、例えば下記特許文献１に開示されるものが知られている。
【０００３】
特許文献１に開示される電気錠システムは、図７に示すように、ドア５１に設置された電気錠５２及び電気錠制御部（図示せず）と、壁に設置され電気的な手段により電気錠５２の施錠や解錠を決定し、電気錠５２を制御するための制御信号を出力する施解錠決定手段５３とを備え、ドア５１の一側が蝶番５４にてドア枠５５に連結されている（ドア枠５５に開閉自在に取り付けられている）。施解錠決定手段５３には、電源線５６によって交流電源（ＡＣ１００Ｖ又はＡＣ２００Ｖ）が供給され、施解錠決定手段５３と前記電気錠制御部との間は、電線５７，５８及び伝送手段Ａを介して信号が伝送されるようになっている。
【特許文献１】特開平１０−２５９３５号公報
【発明の開示】
【発明が解決しようとする課題】
【０００４】
上述した特許文献１を含め、従来の一般的な電気錠システムでは、扉に具備された電気錠と、電気錠の施解錠を制御するための電気錠制御盤とが扉の通電金具を介して配線接続されている。そして、電気錠制御盤から電気錠に電力供給するか、電力供給を絶つかによって電気錠の施解錠を電気的に制御している。ところが、この種の電気錠システムでは、電気錠と電気錠制御盤との間を接続する通線経路の任意の箇所で不正に通線を切断し、又は電線の被覆を剥いで電源装置を接続し、この電源装置からの電源の供給により不正に電気錠の施解錠が容易に行われてしまうという問題があった。
【０００５】
また、近年では、単に電気錠の施解錠を電源供給／電源断だけで制御するのではなく、省線化などを目的として電源重畳などの特殊な方法で電気錠を制御するものも市場に出回っている。この場合、単に通線経路に電源装置を介入させただけでは電気錠を施解錠することはできないが、この種の電気錠を制御する制御盤には市販品を使用していることが多いため、誰でも容易に制御盤を入手でき、この入手した制御盤を悪意で使用すれば、電気錠の施解錠を不正に行うことが可能であった。
【０００６】
そこで、本発明は上記問題点に鑑みてなされたものであり、電気錠と電気錠制御盤との間の通線経路からの不正行為による施解錠を低減して防犯性を向上させることができる電気錠システム用アダプタを提供することを目的とするものである。
【課題を解決するための手段】
【０００７】
上記した目的を達成するために、本願発明の請求項１に記載された電気錠システム用アダプタは、扉に設けられた錠前の施解錠機構を施解錠するとともに、現在の錠の状態を示す錠状態信号を出力する電気錠と、該電気錠に通線経路を介して接続され、前記電気錠を施錠するための施錠指令又は前記電気錠を解錠するための解錠指令を出力して前記電気錠を制御する電気錠制御盤とを備えた電気錠システムに用いられる電気錠システム用アダプタであって、
前記電気錠制御盤から施錠指令が入力されて前記錠状態信号が解錠状態のときにランダムな施錠ＩＤを生成して保持記憶し、この保持記憶された施錠ＩＤとともに施錠出力を出力しており、前記電気錠制御盤から解錠指令が入力されて前記錠状態信号が施錠状態のときには前記施錠時に生成された前記施錠ＩＤとともに解錠出力を出力する制御盤側アダプタと、
施錠時に前記制御盤側アダプタからの施錠ＩＤを保持記憶するとともに前記電気錠に施錠出力を出力して該電気錠を施錠制御しており、解錠時には前記制御盤側アダプタからの施錠ＩＤと前回の施錠時に保持記憶された施錠ＩＤとを照合して両者が一致したときに前記電気錠に解錠出力して該電気錠を解錠制御する電気錠側アダプタとを備えたことを特徴とする。
【０００８】
請求項２に記載された電気錠システム用アダプタは、請求項１記載の電気錠システム用アダプタにおいて、
前記制御盤側アダプタは、前記電気錠の施解錠時に、前記施錠ＩＤと施錠又は解錠出力を重畳して前記電気錠側アダプタへ出力することを特徴とする。
【０００９】
請求項３に記載された電気錠システム用アダプタは、請求項１又は２記載の電気錠システム用アダプタにおいて、
前記制御盤側アダプタが前記電気錠制御盤に組み込まれ、かつ前記電気錠側アダプタが前記電気錠に組み込まれたことを特徴とする。
【発明の効果】
【００１０】
以上説明したように本発明によれば、電気錠制御盤と電気錠との間の配線（通線経路）の切断部分から不正に電力供給や施解錠信号を入力しても不用意に電気錠を動作させる可能性が極めて低く、不正行為による電気錠の施解錠を低減して防犯性に優れた電気錠システムを提供することができる。
【００１１】
また、施解錠時に制御盤側アダプタから出力される施錠ＩＤや制御電力（施錠出力、解錠出力）を重畳して電気錠側アダプタに入力する構成とすれば、配線数を低減して配線の省線化が図れ、配線処理の手間を省くことができる。さらに、電気錠制御盤に制御盤側アダプタを組み込み、かつ電気錠に電気錠側アダプタを組み込む構成とすれば、部品点数が少なくなり、より簡素で防犯性に優れた電気錠システムを構築することができる。
【発明を実施するための最良の形態】
【００１２】
以下、本発明の実施の形態を図面を参照しながら具体的に説明する。図１は本発明に係る電気錠システム用アダプタを採用した一例を示す概念図、図２は本発明に係る電気錠システム用アダプタの第１形態の電気的構成を示すブロック図、図３は本発明に係る電気錠システム用アダプタにおける制御盤側アダプタの詳細を示すブロック図、図４は本発明に係る電気錠システム用アダプタにおける電気錠側アダプタの詳細を示すブロック図、図５は本発明に係る電気錠システム用アダプタの第２形態の電気的構成を示すブロック図、図６は本発明に係る電気錠システム用アダプタの第２形態の電気的構成を示すブロック図である。
【００１３】
本例の電気錠システム用アダプタ１は、図１に示すように、扉１１に設けられた錠前の施解錠機構を施解錠するとともに、錠回路５ａから現在の錠の状態を示す錠状態信号を出力する電気錠５と、制御盤回路４ａが出力する施錠指令又は解除指令を含む制御電力により電気錠５を制御するべく室内の所定箇所（例えば壁面など）に配設された電気錠制御盤４とが通電金具１２を介して配線接続された従来から周知の一般的な電気錠システム１０に採用することができる。なお、施解錠機構は、例えば扉枠の係合穴に対して進退するデッドボルトをモーターやソレノイドで駆動する機構で構成される。また、電気錠制御盤４には、例えば商用電源から電源が供給される。
【００１４】
図１に示すように、本例の電気錠システム用アダプタ１は、制御盤側アダプタ２と電気錠側アダプタ３から構成される。この電気錠システム用アダプタ１を図１の電気錠システム１０に採用する場合には、制御盤側アダプタ２が電気錠制御盤４と通電金具１２との間に配線接続され、電気錠側アダプタ３が電気錠５と通電金具１２との間に配線接続される。
【００１５】
まず、本例の電気錠システム用アダプタ１の第１形態について図２及び図３を参照しながら詳細に説明する。
【００１６】
図２に示すように、第１形態の電気錠システム用アダプタ１は、電気錠制御盤４と電気錠５との間の通線経路途中に位置し、制御盤側アダプタ２が電気錠制御盤４に配線接続され、電気錠側アダプタ３が電気錠５に配線接続されている。
【００１７】
図２に示すように、制御盤側アダプタ２は、制御盤側判断処理手段２Ａ、制御盤側施錠ＩＤ生成／保持手段２Ｂ、制御盤側電気錠制御手段２Ｃ、制御盤側蓄電手段２Ｄを備えて構成される。
【００１８】
図３に示すように、制御盤側判断処理手段２Ａは、更に制御盤側電力入力検知部２Ａａ、制御盤側錠状態検知部２Ａｂ、制御盤側条件判断部２Ａｃを備えて構成される。この制御盤側判断処理手段２Ａでは、電気錠制御盤４からの施錠指令又は解錠指令を含む制御電力の入力検知や、電気錠５の状態を示す錠状態信号に基づいた判断処理を行っている。
【００１９】
制御盤側電力入力検知部２Ａａは、電気錠制御盤４からの施錠指令又は解錠指令を含む制御電力が正常に供給されているか否かを検知している。そして、電気錠制御盤４からの施錠指令又は解錠指令を含む制御電力を正常に検知したときには、そのときの制御電力の一部が駆動電源として制御盤側アダプタ２の各部に供給される。なお、電気錠制御盤４からの制御電力の供給が切れた後も、若干の時間はアダプタ各部を作動させるため、制御盤側蓄電手段２Ｄに蓄電された電力が供給される。制御盤側蓄電手段２Ｄの容量を大きくし、停電時の作動を行なうこともできる。
【００２０】
制御盤側錠状態検知部２Ａｂは、制御盤側電力入力検知部２Ａａが施錠指令又は解錠指令を含む制御電力を正常に検知すると、電気錠５から電気錠制御盤４に向かって出力されている錠状態信号を取込み、電気錠５の現在の状態が施錠状態又は解錠状態の何れであるを判別し、その判別結果を制御盤側条件判断部２Ａｃに出力している。
【００２１】
制御盤側条件判断部２Ａｃは、制御盤側錠状態検知部２Ａｂからの判別結果が解錠状態のときに、電気錠５を施錠制御する旨の施錠制御信号を制御盤側施錠ＩＤ生成／保持手段２Ｂに出力している。また、制御盤側条件判断部２Ａｃは、制御盤側状態検知部２Ａｂからの判別結果が施錠状態のときに、電気錠５を解錠制御する旨の解錠制御信号を制御盤側施錠ＩＤ生成／保持手段２Ｂに出力している。
【００２２】
図３に示すように、制御盤側施錠ＩＤ生成／保持手段２Ｂは、更に制御盤側施錠ＩＤ生成部２Ｂａ、制御盤側施錠ＩＤ保持部２Ｂｂを備えて構成される。この制御盤側施錠ＩＤ生成／保持手段２Ｂでは、制御盤側条件判断部２Ａｃからの施錠制御信号または解錠制御信号の入力に応じた処理を行っている。
【００２３】
制御盤側施錠ＩＤ生成部２Ｂａは、電気錠５が解錠状態で制御盤側条件判断部２Ａｃから施錠制御信号が入力されたときに、例えば数字や記号などをランダムに組み合わせた施錠ＩＤを生成するとともに、施錠制御信号を制御盤側電気錠制御手段２Ｃに出力している。なお、制御盤側制御ＩＤ生成部２Ｂａは、制御盤側条件判断部２Ａｃから施錠制御信号が入力される度に新たな施錠ＩＤを生成し、解錠制御信号が入力された場合は生成しない。
【００２４】
制御盤側施錠ＩＤ保持部２Ｂｂは、電気錠５の施錠時に制御盤側施錠ＩＤ生成部２Ｂａが生成した施錠ＩＤを保持記憶している。また、制御盤側施錠ＩＤ保持部２Ｂｂは、電気錠５が施錠状態で制御盤側条件判断部２Ａｃから解錠制御信号が入力されたときに、その解錠制御信号を制御盤側電気錠制御手段２Ｃに出力している。なお、制御盤側施錠ＩＤ保持部２Ｂｂは、制御盤側施錠ＩＤ生成部２Ｂａが施錠時に新たな施錠ＩＤを生成する度にそれまで保持記憶していた施錠ＩＤを新たに生成された施錠ＩＤに書き替えて保持記憶している。
【００２５】
図３に示すように、制御盤側電気錠制御手段２Ｃは、制御盤側施錠制御部２Ｃａ、制御盤側解錠制御部２Ｃｂを備えて構成される。制御盤側施錠制御部２Ｃａは、電気錠５の施錠時、すなわち、制御盤側施錠ＩＤ生成部２Ｂａから施錠制御信号が入力されたときに、制御盤側施錠ＩＤ生成部２Ｂａで生成された施錠ＩＤと施錠出力（制御電力）とを同時に電気錠側アダプタ３に出力している。
【００２６】
制御盤側解錠制御部２Ｃｂは、電気錠５の解錠時、すなわち、制御盤側施錠ＩＤ保持部２Ｂｂから解錠制御信号が入力されたときに、制御盤側施錠ＩＤ保持部２Ｂｂに保持された施錠ＩＤ（施錠時に生成されたＩＤ）と解錠出力（制御電力）とを同時に電気錠側アダプタ３に出力している。
【００２７】
制御盤側蓄電手段２Ｄは、電気錠制御盤４から供給される制御電力を蓄電し、制御電力の供給が切れた後も、若干の時間はアダプタ各部に電源供給を行なう。制御盤側蓄電手段２Ｄの容量を大きくし、停電時の作動を行なうこともできる。
【００２８】
図４に示すように、電気錠側アダプタ３は、電気錠側判断処理手段３Ａ、電気錠側施錠ＩＤ保持／照合手段３Ｂ、電気錠側電気錠制御手段３Ｃ、電気錠側蓄電手段３Ｄを備えて構成される。
【００２９】
図４に示すように、電気錠側判断処理手段３Ａは、更に電気錠側電力入力検知部３Ａａ、電気錠側錠状態検知部３Ａｂ、電気錠側条件判断部３Ａｃを備えて構成される。この電気錠側判断処理手段３Ａでは、制御盤側アダプタ２から供給される施錠指令（制御電力）又は解錠指令（制御電力）の入力検知や、電気錠５の状態を示す状態信号に基づいた判断処理を行っている。
【００３０】
電気錠側電力入力検知部３Ａａは、制御盤側アダプタ２から施錠出力（制御電力）又は解錠出力（制御電力）が正常に供給されているか否かを検知している。そして、制御盤側アダプタ２から施錠出力（制御電力）又は解錠出力（制御電力）を正常に検知したときには、そのときの制御電力の一部が駆動電源として電気錠側アダプタ３の各部に供給される。なお、電気錠制御盤４からの制御電力の供給が切れた後も、若干の時間はアダプタ各部を作動させるため、電気錠側蓄電手段３Ｄに蓄電された電力が供給される。電気錠側蓄電手段３Ｄの容量を大きくし、停電時の作動を行なうこともできる。
【００３１】
電気錠側錠状態検知部３Ａｂは、電気錠側電力入力検知部３Ａａが施錠出力（制御電力）又は解錠出力（制御電力）を正常に検知すると、電気錠５から電気錠制御盤４に向かって出力されている錠状態信号を取込み、電気錠５の現在の状態が施錠状態又は解錠状態の何れであるを判別し、その判別結果を電気錠側条件判断部３Ａｃに出力している。
【００３２】
電気錠側条件判断部３Ａｃは、電気錠側錠状態検知部３Ａｂの判別結果が解錠状態のときに、電気錠５を施錠する旨の施錠制御信号を電気錠側施錠ＩＤ保持／照合手段３Ｂに出力している。また、電気錠側条件判断部３Ａｃは、電気錠側錠状態検知部３Ａｂの判別結果が施錠状態のときに、電気錠５を解錠する旨の解錠制御信号を電気錠側施錠ＩＤ保持／照合手段３Ｂに出力している。
【００３３】
図４に示すように、電気錠側施錠ＩＤ保持／照合手段３Ｂは、更に電気錠側施錠ＩＤ保持部３Ｂａ、電気錠側施錠ＩＤ照合部３Ｂｂを備えて構成される。この電気錠側施錠ＩＤ保持／照合手段３Ｂでは、制御盤側アダプタ２からの施錠ＩＤを保持又は照合するとともに、電気錠側条件判断部３Ａｃからの施錠制御信号または解錠制御信号の入力に応じた処理を行っている。
【００３４】
電気錠側施錠ＩＤ保持部３Ｂａは、電気錠５が解錠状態で電気錠側条件判断部３Ａｃから施錠制御信号が入力されたときに、制御盤側アダプタ２から入力される施錠ＩＤを上書きして保持記憶し、施錠制御信号を電気錠側電気錠制御手段３Ｃに出力している。なお、電気錠側施錠ＩＤ保持部３Ｂａは、制御盤側アダプタ２側で施錠時毎に新たに生成されて入力される施錠ＩＤに書き替えて保持記憶している。
【００３５】
電気錠側施錠ＩＤ照合部３Ｂｂは、電気錠５が施錠状態で電気錠側条件判断部３Ａｃから解錠制御信号が入力されたときに、制御盤側アダプタ２から入力される施錠ＩＤと電気錠側施錠ＩＤ保持部３Ｂａに保持記憶されている施錠ＩＤとを照合し、照合が一致した場合のみ解錠制御信号を電気錠側電気錠制御手段３Ｃに出力している。
【００３６】
図４に示すように、電気錠側電気錠制御手段３Ｃは、更に電気錠側施錠制御部３Ｃａ、電気錠側解錠制御部３Ｃｂを備えて構成される。電気錠側施錠制御部３Ｃａは、電気錠５の施錠時に電気錠側施錠ＩＤ保持部３Ｂａから施錠制御信号が入力されたときに、電気錠５に制御電力（施錠出力）を出力して電気錠５を施錠制御している。
【００３７】
電気錠側解錠制御部３Ｃｂは、電気錠５の解錠時に電気錠側施錠ＩＤ照合部３Ｂｂから解錠制御信号が入力されたときに、電気錠５に制御電力（解錠出力）を出力して電気錠５を解錠制御している。
【００３８】
電気錠側蓄電手段３Ｄは、制御盤側アダプタ２から供給される制御電力を蓄電し、制御電力の供給が切れた後も、若干の時間はアダプタ各部に電源供給を行なう。電気錠側蓄電手段３Ｄの容量を大きくし、停電時の作動を行なうこともできる。
【００３９】
次に、上述した第１形態の電気錠システム用アダプタ１を採用した電気錠システム１０の施解錠動作について具体的に説明する。なお、以下では、施錠動作時は電気錠５が出力する錠状態信号が解錠状態であり、解錠動作時は電気錠５が出力する錠状態信号が施錠状態であることを前提とした場合の正常時の動作について説明する。
【００４０】
まず、電気錠５を施錠する場合について説明する。電気錠５を施錠する場合、電気錠５を施錠するため特定の操作を行い（例えば、操作器のテンキー操作による暗証番号入力、リモコンキーの操作による特定の認証情報出力）、電気錠制御盤４に施錠指示信号を送信する。電気錠制御盤４は、上記施錠指示信号が送信されたことを認識すると、制御盤側アダプタ２に施錠指令を含む制御電力を供給する。
【００４１】
制御盤側アダプタ２は、制御盤側電力入力検知部２Ａａが電気錠制御盤４からの施錠指令を含む制御電力を正常に検知すると、制御盤側錠状態検知部２Ａｂが錠状態信号を検知して現在の電気錠５の状態を判別する。ここでは、電気錠５が解錠状態であるため、制御盤側錠状態検知部２Ａｂから解錠状態を示す判別結果が制御盤側条件判断部２Ａｃに出力される。制御盤側条件判断部２Ａｃは、制御盤側錠状態検知部２Ａｂから解錠状態を示す判別結果が入力されると、電気錠５を施錠する旨の施錠制御信号を制御盤側施錠ＩＤ生成部２Ｂａに出力する。制御盤側施錠ＩＤ生成部２Ｂａは、制御盤側条件判断部２Ａｃから施錠制御信号が入力されると、この施錠出力（制御電力）と同時に出力するためのランダムな施錠ＩＤを生成する。
【００４２】
制御盤側施錠ＩＤ生成部２Ｂａは、生成した施錠ＩＤを制御盤側施錠ＩＤ保持部２Ｂｂに出力するとともに、施錠制御信号を制御盤側施錠制御部２Ｃａに出力する。その際、制御盤側施錠ＩＤ保持部２Ｂｂは、生成された施錠ＩＤを保持する。そして、制御盤側施錠制御部２Ｃａは、制御盤側施錠ＩＤ生成部２Ｂａから施錠制御信号が入力されると、制御盤側施錠ＩＤ生成部２Ｂａが生成した施錠ＩＤと施錠出力（制御電力）を電気錠側アダプタ３に出力する。
【００４３】
電気錠側アダプタ３では、電気錠側電力入力検知部３Ａａが制御盤側施錠制御部２Ｃａからの施錠出力（制御電力）を正常に検知すると、電気錠側錠状態検知部３Ａｂが錠状態信号を検知して現在の電気錠５の状態を判別する。ここでは、電気錠５が解錠状態であるため、電気錠側錠状態検知部３Ａｂから解錠状態を示す判別結果が電気錠側条件判断部３Ａｃに出力される。電気錠側条件判断部３Ａｃは、電気錠側錠状態検知部３Ａｂから解錠状態を示す判別結果が入力されると、電気錠５を施錠する旨の施錠制御信号を電気錠側施錠ＩＤ保持部３Ｂａに出力する。
【００４４】
電気錠側施錠ＩＤ保持部３Ｂａは、電気錠側条件判断部３Ａｃから施錠制御信号が入力されると、制御盤側アダプタ２からの施錠ＩＤを保持記憶するとともに、電気錠側施錠制御部３Ｃａに施錠制御信号を出力する。電気錠側施錠制御部３Ｃａは、電気錠側施錠ＩＤ保持部３Ｂａから施錠制御信号が入力されると、電気錠５に施錠出力（制御電力）を出力し、電気錠５を施錠する。なお、錠状態信号から電気錠５が施錠状態と判別された場合には、電気錠制御盤４から施錠指令（制御電力）が出力されても制御盤側アダプタ２が信号を無視するため、電気錠５の施錠制御は行われない。
【００４５】
次に、電気錠５を解錠する場合について説明する。電気錠５を解錠する場合、電気錠５を解錠するための特定の操作を行い（例えば、操作器のテンキー操作による暗証番号入力、リモコンキーの操作による特定の認証情報出力）、電気錠制御盤４に解錠指示信号を送信する。電気錠制御盤４は、上記解錠指示信号が送信されたことを認識すると、制御盤側アダプタ２に解錠指令を含む制御電力を供給する。
【００４６】
制御盤側アダプタ２は、制御盤側電力入力検知部２Ａａが電気錠制御盤４からの解錠指令を含む制御電力を正常に検知すると、制御盤側錠状態検知部２Ａｂが錠状態信号を検知して現在の電気錠５の状態を判別する。ここでは、電気錠５が施錠状態であるため、制御盤側錠状態検知部２Ａｂから施錠状態を示す判別結果が制御盤側条件判断部２Ａｃに出力される。制御盤側条件判断部２Ａｃは、制御盤側錠状態検知部２Ａｂから施錠状態を示す判別結果が入力されると、電気錠５を解錠する旨の解錠制御信号を制御盤側施錠ＩＤ保持部２Ｂｂに出力する。
【００４７】
制御盤側施錠ＩＤ保持部２Ｂｂは、制御盤側条件判断部２Ａｃから解錠制御信号が入力されると、その解錠制御信号を制御盤側解錠制御部２Ｃｂに出力する。制御盤側解錠制御部２Ｃｂは、制御盤側施錠ＩＤ保持部２Ｂｂから解錠制御信号が入力されると、制御盤側施錠ＩＤ保持部２Ｂｂに保持記憶された施錠ＩＤと解錠出力（制御電力）とを同時に電気錠側アダプタ３に出力する。
【００４８】
電気錠側アダプタ３では、電気錠側電力入力検知部３Ａａが制御盤側解錠制御部２Ｃｂからの解錠出力（制御電力）を正常に検知すると、電気錠側錠状態検知部３Ａｂが錠状態信号を検知して現在の電気錠５の状態を判別する。ここでは、電気錠５が施錠状態であるため、電気錠側錠状態検知部３Ａｂから施錠状態を示す判別結果が電気錠側条件判断部３Ａｃに出力される。電気錠側条件判断部３Ａｃは、電気錠側錠状態検知部３Ａｂから施錠状態を示す判別結果が入力されると、電気錠５を解錠する旨の解錠制御信号を電気錠側施錠ＩＤ照合部３Ｂｂに出力する。
【００４９】
電気錠側施錠ＩＤ照合部３Ｂｂは、電気錠側条件判断部３Ａｃから解錠制御信号が入力されると、制御盤側アダプタ２からの施錠ＩＤと、前回の施錠時に電気錠側施錠ＩＤ保持部３Ｂａに保持記憶されている施錠ＩＤとが一致するか否かを照合する。そして、両者の施錠ＩＤの照合が一致すると、電気錠側施錠ＩＤ照合部３Ｂｂから電気錠側解錠制御部３Ｃｂに解錠制御信号が出力される。
【００５０】
電気錠側解錠制御部３Ｃｂは、電気錠側施錠ＩＤ照合部３Ｂｂから解錠制御信号が入力されると、電気錠５に解錠出力（制御電力）を出力し、電気錠５を解錠する。なお、錠状態信号から電気錠５が解錠状態と判別された場合には、電気錠制御盤４から解錠指令（制御電力）が出力されても制御盤側アダプタ２が信号を無視するため、電気錠５の解錠制御は行われない。
【００５１】
次に、不正行為発生時の動作について説明する。電気錠５が施錠状態で、通線経路の途中を物理的に破壊し、電源装置を通線途中に接続した場合、電気錠５に向けて電源装置から電力供給（解錠出力）すると、この電源装置からの電力供給を受けた制御盤側アダプタ２は、施錠ＩＤを伴わない電力供給（解錠出力）であれば、電気錠５への解錠出力を行わない。
【００５２】
また、通線経路の途中を物理的に破壊し、本例の電気錠制御盤４と同種の制御盤と制御アダプタを通線途中に接続し、この制御盤と制御アダプタを操作して施錠ＩＤと解錠出力を出力した場合には、この施錠ＩＤと解錠出力を受けた電気錠側アダプタ３は、自身が記憶している施錠ＩＤ（施錠毎にランダムに変化するＩＤ）と、送られてきた施錠ＩＤとを比較するが、両者の施錠ＩＤが一致せず、電気錠５への解錠出力を行わない。
【００５３】
次に、電気錠システム用アダプタ１の第２形態について図５を参照しながら詳細に説明する。なお、上述した第１形態の電気錠システム用アダプタ１と同一の構成要素には同一番号を付してその説明を省略し、相違する構成についてのみ説明する。
【００５４】
図５に示すように、第２形態の電気錠システム用アダプタ１は、制御盤側アダプタ２に制御盤側重畳手段２Ｅを具備し、電気錠側アダプタ３に電気錠側重畳手段３Ｅを具備している。これら制御盤側重畳手段２Ｅと電気錠側重畳手段３Ｅとの間では、施解錠時に制御盤側アダプタ２からの施錠出力又は解錠出力（制御電力）と施錠ＩＤが重畳されて電気錠側アダプタ３に送られ、電気錠側アダプタ３側で施錠出力（制御電力）、解錠出力（制御電力）、施錠ＩＤのそれぞれの信号に復調される。なお、この重畳処理に加えて施錠ＩＤを暗号化して送ることもできる。これにより、各種信号の種類毎に配線する必要がないので、配線数を低減して省線化が図れ、システム構築時の配線の手間が省ける。
【００５５】
次に、電気錠システム用アダプタ１の第３形態について図６を参照しながら詳細に説明する。なお、上述した第１形態や第２形態の電気錠システム用アダプタ１と同一構成の構成要素には同一番号を付してその説明を省略し、相違する構成についてのみ説明する。
【００５６】
図６に示すように、第３形態の電気錠システム用アダプタ１は、図３に示す構成の制御盤側アダプタ２を電気錠制御盤４に組み込み、図４に示す構成の電気錠側アダプタ３を電気錠５に組み込み、さらに上述した第２形態における重畳処理に関する構成（制御盤側重畳手段２Ｅ、電気錠側重畳手段３Ｅ）を採用したものである。これにより、新たに電気錠システム１０を構築する場合、部品点数を必要最小限とし、低コスト化を図りつつ防犯性に優れた電気錠システム１０を提供することができる。
【００５７】
なお、上述した第３形態の電気錠システム用アダプタ１において、重畳処理に関する構成（制御盤側重畳手段２Ｅ、電気錠側重畳手段３Ｅ）を省くこともできる。
【００５８】
このように、本例の電気錠システム用アダプタ１を電気錠システムに採用すれば、電気錠制御盤４と電気錠５との間の配線（通線経路）の切断部分から不正に電力供給や施解錠信号を入力しても不用意に電気錠を動作させる可能性が極めて低く、不正行為を低減して防犯性に優れた電気錠システム１０を提供することができる。
【００５９】
しかも、既存の電気錠システムに採用する場合でも、本例の電気錠システム用アダプタ１を電気錠制御盤４と電気錠５との間の通線経路の所定箇所に接続するだけでよいので、現在使用している電気錠システム１０をそのまま活かして防犯性を向上させることができる。
【００６０】
第２形態の電気錠システム用アダプタ１を採用すれば、施解錠時に制御盤側アダプタ２と電気錠側アダプタ３との間で通信される各種信号を重畳して送ることができるので、配線数を減らして省線化を図ることができる。
【００６１】
第３形態の電気錠システム用アダプタ１を採用すれば、電気錠制御盤４と電気錠５のそれぞれにアダプタを組み込む構成なので、部品点数を必要最小限に少なくでき、より簡素で防犯性に優れた電気錠システム１０を構築することができる。
【００６２】
以上、本発明を用いて最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００６３】
【図１】本発明に係る電気錠システム用アダプタを採用した一例を示す概念図である。
【図２】本発明に係る電気錠システム用アダプタの第１形態の電気的構成を示すブロック図である。
【図３】本発明に係る電気錠システム用アダプタにおける制御盤側アダプタの詳細を示すブロック図である。
【図４】本発明に係る電気錠システム用アダプタにおける電気錠側アダプタの詳細を示すブロック図である。
【図５】本発明に係る電気錠システム用アダプタの第２形態の電気的構成を示すブロック図である。
【図６】本発明に係る電気錠システム用アダプタの第３形態の電気的構成を示すブロック図である。
【図７】従来の電気錠システムの概略構成を示す概念図である。
【符号の説明】
【００６４】
１  電気錠システム用アダプタ
２  制御盤側アダプタ
２Ａ  制御盤側判断処理手段
２Ａａ  制御盤側電力入力検知部
２Ａｂ  制御盤側錠状態検知部
２Ａｃ  制御盤側条件判断部
２Ｂ  制御盤側施錠ＩＤ生成／保持手段
２Ｂａ  制御盤側施錠ＩＤ生成部
２Ｂｂ  制御盤側施錠ＩＤ保持部
２Ｃ  制御盤側電気錠制御手段
２Ｃａ  制御盤側施錠制御部
２Ｃｂ  制御盤側解錠制御部
２Ｄ  制御盤側蓄電手段
２Ｅ  制御盤側重畳手段
３  電気錠側アダプタ
３Ａ  電気錠側判断処理手段
３Ａａ  電気錠側電力入力検知部
３Ａｂ  電気錠側錠状態検知部
３Ａｃ  電気錠側条件判断部
３Ｂ  電気錠側施錠ＩＤ保持／照合手段
３Ｂａ  電気錠側施錠ＩＤ保持部
３Ｂｂ  電気錠側施錠ＩＤ照合部
３Ｃ  電気錠側電気錠制御手段
３Ｃａ  電気錠側施錠制御部
３Ｃｂ  電気錠側解錠制御部
３Ｄ  電気錠側蓄電手段
３Ｅ  電気錠側重畳手段
４  電気錠制御盤
４ａ  制御盤回路
５  電気錠
５ａ  錠回路
１０  電気錠システム
１１  扉
１２  通電金具
【図１】
2006118312.tif 000003
【図２】
2006118312.tif 000004
【図３】
2006118312.tif 000005
【図４】
2006118312.tif 000006
【図５】
2006118312.tif 000007
【図６】
2006118312.tif 000008
【図７】
2006118312.tif 000009